(57)【要約】【課題】枚数が減少しても液体含浸シートを取り出しやすくし、しかも開閉蓋を容易に袋本体に密着させ、開閉蓋と袋本体の間に隙間が生じにくい液体含浸シート用包装袋を提供することを目的とする。【解決手段】液体含浸シートの積層体が包装され、前記液体含浸シートを取り出すための開口部が形成された袋本体と、前記袋本体に再剥離可能且つ再貼着可能な、前記開口部及びその周囲を覆うシート状の開閉蓋と、前記袋本体の内部において前記開口部と対向する底部に収容された復元可能な弾性体からなる底板と、を有する液体含浸シート用包装袋。【選択図】図４
2015058942.tif 000002
【特許請求の範囲】
【請求項１】
液体含浸シートの積層体が包装され、前記液体含浸シートを取り出すための開口部が形成された袋本体と、
前記袋本体に再剥離可能且つ再貼着可能であって前記開口部及びその周囲を覆うシート状の開閉蓋と、
前記袋本体の内部において前記開口部と対向する底部に収容され前記液体含浸シートの積層体を搭載し、復元可能な弾性体からなる底板と、を有する液体含浸シート用包装袋。
【請求項２】
前記底板の前記開口部と反対側の面の中央に直線溝が形成されている請求項１に記載の液体含浸シート用包装袋。
【請求項３】
前記底板の前記開口部と反対側の面に平行な複数本の直線溝が形成されている請求項１に記載の液体含浸シート用包装袋。
【請求項４】
前記底板の前記開口部と対向する面であって前記直線溝の反対側に直線山が形成されている請求項２又は３に記載の液体含浸シート用包装袋。
【発明の詳細な説明】
【技術分野】
【０００１】
本発明は、液体含浸シートを収容する包装袋に関する。
【背景技術】
【０００２】
不織布にアルコール等の液体を含浸させたシート（液体含浸シート）としてウェットシートや汗拭きシートなどがあり、これらは包装袋やプラスチックケースに収容されたものが知られている。包装袋に収容されたものとしては、包装袋に収容された状態で携帯しこの包装袋から直接取り出して使用するものや、プラスチックケースへ詰め替えて使用するもの等があるが、包装袋から直接取り出して使用するものについては、包装袋上面のシート状の開閉蓋を開けて取り出し口からシートを引き出して使用するものが一般的である。
【０００３】
しかしながら、このような包装袋は、使用していくにつれて液体含浸シートの枚数が減少すると包装袋の形状が崩れ取り出し口に皺が形成され開閉蓋を隙間無く閉じることが困難となる。開閉蓋に隙間が生じると液体含浸シートが乾燥し、液体含浸シートの機能を損なってしまう。また、枚数が減少すると液体含浸シートが取り出しにくくなるという問題もあった。
【０００４】
これらの問題点を解決するために、特許文献１及び特許文献２には、内容物の下面を支承して内容物を前記取り出し口の方向へ押し上げるための弾性の支持体を設けた容器が開示されている。
しかしながら、このような支持体を液体含浸シート用の包装袋に適用するためには、弾性の支持体を押し潰した状態で液体含浸シートを包装する必要があり、製造上困難である。また、支持体によりよって液体含浸シートに圧縮力が加わった状態で収容されているため、液体含浸シートに含浸された液体が染み出してしまうという問題がある。
【先行技術文献】
【特許文献】
【０００５】
【特許文献１】実開昭６０−１５０９６９号公報
【特許文献２】実開昭６０−１５０９７０号公報
【発明の概要】
【発明が解決しようとする課題】
【０００６】
本発明の課題は、枚数が減少しても液体含浸シートを取り出しやすくし、しかも開閉蓋を容易に袋本体に密着させ、開閉蓋と袋本体の間に隙間を生じにくくした液体含浸シート用包装袋の提供にある。
【課題を解決するための手段】
【０００７】
本発明は、以下の態様を有する。
［１］  液体含浸シートの積層体が包装され、前記液体含浸シートを取り出すための開口部が形成された袋本体と、前記袋本体に再剥離可能且つ再貼着可能であって前記開口部及びその周囲を覆うシート状の開閉蓋と、前記袋本体の内部において前記開口部と対向する底部に収容され前記液体含浸シートの積層体を搭載し、復元可能な弾性体からなる底板と、を有する液体含浸シート用包装袋。
［２］  前記底板の前記開口部と反対側の面の中央に直線溝が形成されている［１］に記載の液体含浸シート用包装袋。
［３］  前記底板の前記開口部と反対側の面に平行な複数本の直線溝が形成されている［１］に記載の液体含浸シート用包装袋。
［４］  前記底板の前記開口部と対向する面であって前記直線溝の反対側に直線山が形成されている［２］又は［３］に記載の液体含浸シート用包装袋。
【発明の効果】
【０００８】
本発明の液体含浸シート用包装袋は、袋本体の開口部と対向する底部に復元可能な弾性体からなる底板が配置されている。これにより、液体含浸シートの収容枚数が減少した状態であっても、使用者が底板を変形させ袋本体の内部において液体含浸シートの積層体を上方に持ち上げ開口部に近接させることで使用者が容易に液体含浸シートをつまみ出すことができる。
また、液体含浸シートの積層体を上方に持ち上げるように底板を湾曲させることで、液体含浸シートが袋本体の開口部側に押し付けられ、開口部の周囲が皺なく伸びた状態となる。この状態でシート状の開閉蓋を閉じることで、開閉蓋を袋本体に密着させて隙間の形成を防止できる。即ち、液体含浸シートの乾燥を防ぐことができる。
【図面の簡単な説明】
【０００９】
【図１】本発明に係る一実施形態の液体含浸シート用包装袋を示す斜視図である。
【図２】本発明に係る一実施形態の液体含浸シート用包装袋を示す断面図である。
【図３】本発明に係る一実施形態の液体含浸シート用包装袋の底板を示す斜視図である。
【図４】本発明に係る一実施形態の液体含浸シート用包装袋から液体含浸シートを取り出す際の様子を示す断面図である。
【図５】本発明に係る第１変形例の液体含浸シート用包装袋の底板を示し、図５（ａ）は斜視図であり、図５（ｂ）は変形させた状態における側面図である。
【図６】本発明に係る第２変形例の液体含浸シート用包装袋の底板を示す斜視図である。
【図７】本発明に係る第３変形例の液体含浸シート用包装袋の底板を示し、図７（ａ）は斜視図であり、図７（ｂ）は変形させた状態における側面図である。
【発明を実施するための形態】
【００１０】
以下、本発明の一実施形態について図面を参照しながら説明する。
なお、以下の説明で用いる図面は、特徴をわかりやすくするために、便宜上特徴となる部分を拡大して示している場合があり、各構成要素の寸法比率などが実際と同じであるとは限らない。
【００１１】
図１、図２に示すように、本実施形態の液体含浸シート用包装袋１（以下、「包装袋１」）は、開口部２Ａが形成された袋本体２と、開口部２Ａ及び該開口部２Ａの周囲２Ｂ（以下、「開口部周囲２Ｂ」）を覆うシート状の開閉蓋３と、開口部２Ａと対向する底部２Ｃに収容された復元可能な弾性体からなる底板４とを備える。
この包装袋１には、複数枚の液体含浸シート８を矩形状に折り畳み積層した液体含浸シート８の積層体９（以下、「シート積層体９」）が収容されている。液体含浸シート８とは、不織布にアルコールや薬剤等の液体が含浸されたシートである。液体含浸シート８の具体例としては、ウェットティッシュ、汗拭きシート、日焼け止めシート、虫除けシート、化粧水シート、化粧落としシート等が挙げられる。
【００１２】
本実施形態における袋本体２は、シート積層体９を、いわゆるピロー包装によって収容したものである。この袋本体２の上面２Ｄには、液体含浸シート８の取り出し口となる開口部２Ａが形成されている。開口部２Ａは、液体含浸シート８が取り出されないときには、開閉蓋３に覆われて密閉される。使用者が液体含浸シート８を取り出す際には、開閉蓋３が袋本体２から剥離され、開口部２Ａが開放される。
本実施形態における開口部２Ａは、長円形状（角丸長方形状）に開口している。この開口部２Ａは、袋本体２の内部においてシート積層体９が一方に偏っていたとしても、開口部２Ａの全面から液体含浸シート８が見えるように形成されている。これにより、シート積層体９が偏っていたとしても開口部２Ａから容易に液体含浸シート８をつまみだすことができる。
また、袋本体２の上面２Ｄ外側であって、開口部周囲２Ｂには開閉蓋被着シート１０が接着剤などにより固着されている。開閉蓋被着シート１０は、外形が開閉蓋３より大きな矩形状であり開閉蓋３が貼着されるシートである。
【００１３】
通常、ピロー包装では、シート積層体９を包み込むように帯状のフィルムを筒状に形成し、前記フィルムの端部同士をシールして積層体９が充填されたチューブを得る。その後、前記チューブを、その長手方向において一定間隔でシールすると共に、１つの包装体で１つのシート積層体９を収容するようにシール部分にて切断して袋本体２を得る。
【００１４】
袋本体２を構成するフィルムとしては、例えば、樹脂層とアルミニウム層とを備える積層フィルムを使用することができる。積層フィルムとしては、ポリエチレンテレフタレートとアルミニウム層とポリエチレンとの積層フィルム、ポリエチレンテレフタレートとアルミニウム層とポリプロピレンとの積層フィルム等が挙げられる。液体の蒸発を防ぐ点では、アルミニウム層を有することが好ましい。
【００１５】
開閉蓋３は、フラップラベルと呼ばれ、袋本体２に再剥離可能且つ再貼着可能な、開口部２Ａ及び開口部２Ａの周囲２Ｂを覆うシートである。開閉蓋３は、袋本体２側の面に形成された再剥離再貼着性粘着剤層を備えている。この再剥離再貼着性粘着剤層は、袋本体２の上面２Ｄ外側であって、開口部周囲２Ｂの開閉蓋被着シート１０に対して再剥離可能且つ再貼着可能な粘着剤層である。
再剥離再貼着性粘着剤としては、例えば、アクリル系粘着剤に微粒子等を含有させたものが挙げられる。通常、再剥離再貼着性粘着剤は透明である。
【００１６】
開閉蓋３は、長円形状に開口する開口部２Ａを覆うように矩形状に形成されており、当該矩形状の開閉蓋３の一方の短辺には、袋本体２に固着する固着部３ｂが形成されている。また、他方の短辺の縁に粘着剤層が形成されていないつまみ部３ａが形成されている。使用者は、つまみ部３ａをつまんで、開閉蓋３の長手方向に沿って固着部３ｂ側に開閉蓋３を引きはがすことで開口部２Ａを開放させることができる。
【００１７】
図２に示すように、前記袋本体２の内部であって前記開口部２Ａと対向する底部２Ｃには、図３に示すような矩形状の底板４が収容されている。
底板４は、復元可能な弾性体であり、折りたたまれた液体含浸シート８の下方に配置されている。また、底板４は、通常状態では、図３に示すような平板であるが、両側から力を加えることで弓なりに湾曲させることができ、両側から加えた力を開放すると復元し元の形状である平板に戻る。
【００１８】
図４に、この包装袋１の内部に収容された液体含浸シート８が減少した状態における、液体含浸シート８の取り出し方法を図示する。
液体含浸シート８が減少すると、開口部２Ａと液体含浸シート８との間に隙間が形成されて、液体含浸シート８が開口部２Ａから取り出しにくくなる。
本実施形態の包装袋１は、図４に示すように、袋本体２の底部２Ｃに配置された底板４を、使用者が人差し指と親指により弓なりに湾曲させ、底板４に載置されたシート積層体９を上方に持ち上げることができる。これによって開口部２Ａが形成された袋本体２の上面２Ｄにシート積層体９を接触し、使用者は液体含浸シート８を容易につまみ出すことができる。
【００１９】
また、底板４を弓なりに湾曲させることで底板４に載置されたシート積層体９が袋本体２の上面２Ｄに押し付けられ、袋本体２の上面２Ｄが緊迫した状態となる。即ち、開口部周囲２Ｂには、皺が無い状態となり、使用者が底板４を指で弓なりに湾曲させた状態で、開閉蓋３を閉じることで、開閉蓋３と袋本体２の開口部周囲２Ｂに隙間を形成することなく、密着させることができる。これにより、液体含浸シート８の収容枚数が減少すると開閉蓋３と開口部近傍部の間に隙間が形成されやすくなるという問題を解消することができる。
また、底板４を湾曲させシート積層体９上方に持ち上げ、袋本体２の上面２Ｄに押し付けることで、袋本体２の内部の空気を抜くことができる。したがって、この状態で開閉蓋３を閉じることで、袋本体２の空気を少なくすることができ、袋本体２の内部の空気による液体含浸シート８の乾燥を抑制できる。
底板４は、復元可能であるため両側から加えた力を開放すると元の形状に戻り平坦な平板となる。即ち、包装袋１は、開閉蓋３を閉じた後に使用者の指を離すことで再び平坦な状態となり、使用者が携帯する際に鞄やポケットの中で大きなスペースをとることがない。
【００２０】
本実施形態の底板４の材質は、復元可能な弾性体であり液体含浸シート８と接触してその性質が劣化しないものであればその材質が限定されるものではないが、樹脂製、特にポリプロピレン（ＰＰ：Polypropylene）、ポリエチレンテレフタレート（ＰＥＴ：Polyethyleneterephthalate）を好適に用いる事ができる。
また、底板４の厚さは、片手で両側から力を加えて弓なりに変形でき、さらに力を開放することで自然に復元する厚さであれば限定されない。例えば上述したＰＰ及びＰＥＴを用いた場合においては、０．１ｍｍ〜１ｍｍであれば良い。
【００２１】
底板４は、矩形状に折りたたまれた液体含浸シート８の大きさに対し、同じか若干大きく形成されていることが好ましい。袋本体２の開口部２Ａは、液体含浸シート８が積層されたシート積層体９は、袋本体２の内部において、一方に偏っていたとしても、開口部２Ａの全面から液体含浸シート８が見えるように形成されている。したがって、底板４が折り畳まれた液体含浸シート８の大きさに対し、同じか若干大きく形成することによって、底板４及び当該底板４が袋本体２の内部で偏っていても、底板４を湾曲させることで、開口部２Ａの周囲を緊迫させることができる。
【００２２】
また底板４は、矩形状に折りたたまれた液体含浸シート８の大きさに対し、同じか若干大きく形成されていることで、製造ライン上で、シート積層体９を載置して製造ラインの例えばベルトコンベアを流すことができる。これにより、シート積層体９がライン内で乱れることがない。加えて、袋本体２に収容する際に、収容効率を高めることができる。
【００２３】
加えて、底板４を片手でつまみ弓なりに湾曲させることができるように、人差し指先端と親指先端の直線距離に対して十分小さく形成されていることが好ましい。このような大きさとすることで、使用者は一方の手で底板４を湾曲させ、他方の手で液体含浸シート８を開口部２Ａからつまみ出すことができる。
【００２４】
＜第１変形例＞
上述した実施形態の底板４の変形例であって、包装袋１（図１参照）に採用可能な底板５について図５（ａ）、（ｂ）を基に説明する。この底板５は、上述した底板４と比較して、底板５の中央であって外形の短辺と平行な直線溝５ａ及び直線山５ｂが形成されている点が異なる。この底板５を包装袋１に配置する際には、直線溝５ａが形成された面を、袋本体２の底部２Ｃ側にして配置する。このように配置することで、底板５の両短辺から圧縮方向に力を加えることによって、底板５は図５（ｂ）に示すように直線溝５ａを起点とし、く字状に折れ曲る。
【００２５】
直線溝５ａを形成することによって、底板５が折れ曲がる方向を決めることができる。即ち、使用者は、底板５が上方に折れ曲るか下方に折れ曲るか意識する必要が無くなり、より容易に液体含浸シート８を取り出すことができる。また、わずかな力で底板５を変形させることが可能となり、使用者の負担を減らすことができる。
【００２６】
直線溝５ａは、開閉蓋３の開閉方向に対して直交して形成されていることが望ましい。ここで、開閉蓋３の開閉方向とは、使用者が開閉蓋３をつまみ部３ａから固着部３ｂに向かって引きはがす方向（又は閉じる方向）を意味し、図１に示す本実施形態の包装袋１においては、開閉蓋３の長手方向となる。底板５の直線溝５ａは底板５の短辺と平行に形成されており、当該底板５の短辺と開閉蓋３の短辺の向きは一致しているため、直線溝５ａは開閉方向と直交して形成されている。
このように、直線溝５ａを短辺と平行に形成し開閉方向に対し直交させることで、使用者は、底板５の両短辺側から力を加え長辺（即ち開閉方向）を屈曲させることとなる。これによって、袋本体２の上面２Ｄが開閉方向に緊迫され、使用者が開閉方向に沿って開閉蓋３を閉じることで開閉蓋３と袋本体２の開口部周囲２Ｂに皺を生じることなく密着させることができる。
【００２７】
また、直線溝５ａの反対側には直線山５ｂが形成されている。直線溝５ａの裏面に直線山５ｂが形成されていることにより、底板５が部分的に薄くなることが無く、単に直線溝５ａが形成されている場合と比較して、復元力が十分に確保され、即座に元の形状に戻ることができる。加えて、直線山５ｂに沿って中央部が突出しているため、使用者が液体含浸シート８を取り出しやすくなる。
【００２８】
＜第２変形例＞
図６に第２変形例の底板６を示す。この底板６は、上述した第１変形例の底板５と同様に外形の短辺と平行な直線溝６ａ及び直線山６ｂが形成されているが、その４方の縁部に屈曲片６ｃが形成されている点が異なる。縁部に屈曲片６ｃが形成されていることによって、第１変形例の底板５と同様の効果を得ることができるのみならず、製造ライン上で底板６に対してシート積層体９がずれにくくなり、製造効率を高めることができる。
【００２９】
＜第３変形例＞
図７に第３変形例の底板７を示す。この底板７は、上述した第１変形例の底板５と比較して、直線溝７ａ及び直線山７ｂが平行に複数本形成されている点が異なる。この底板７を包装袋１に配置する際には、直線溝７ａが形成された面を袋本体２の底部２Ｃ側とする。このように配置することで、底板７の両短辺から圧縮方向に力を加えることによって、底板７は図７（ｂ）に示すように各直線溝７ａを起点とし湾曲する。
底板７に複数の直線溝７ａを形成することによって、第１変形例の底板５と同様の効果を得ることができるのみならず、シート積層体９が載置される上面がなだらかに湾曲するため、シート積層体９が袋本体２の上面２Ｄに均一に押し付けられ、袋本体２の上面２Ｄを均一に緊迫させることができる。したがって、容易に開口部周囲２Ｂを皺が無い状態とすることができる。
【００３０】
以上に、本発明の様々な実施形態を説明したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはない。
【符号の説明】
【００３１】
１…液体含浸シート用包装袋（包装袋）、２…袋本体、２Ａ…開口部、２Ｂ…開口部周囲、２Ｃ…底部、２Ｄ…上面、３…開閉蓋、４、５、６、７…底板、５ａ、６ａ、７ａ…直線溝、５ｂ、６ｂ、７ｂ…直線山、６ｃ…屈曲片、８…液体含浸シート、９…積層体（シート積層体）、１０…開閉蓋被着シート
【図１】
2015058942.tif 000003
【図２】
2015058942.tif 000004
【図３】
2015058942.tif 000005
【図４】
2015058942.tif 000006
【図５】
2015058942.tif 000007
【図６】
2015058942.tif 000008
【図７】
2015058942.tif 000009